(57)【要約】      （修正有）【課題】脚立や梯子の使用中の転倒防止の為に簡単に脱着が可能で転倒防止ができ、又、片持ち型カーポートの積雪時の転倒防止にも利用できる用具を提供する。【解決手段】先端に梯子又は脚立１を係止するための十手型の係止部４１と、最先端に片持ち型カーポートを支える為のＬ型の係止部４２とで構成する。梯子と脚立の兼用で使用できるようにする為に、梯子のステップのパイプのほうが脚立のステップ１１の横から裏側にかけてのパイプより太いので、十手型の二股の突起部の係止部の幅を、梯子のパイプに対応できる幅にする。又、簡単に脱着ができ、転倒しそうな方向に対しては外れにくくするために十手型にする。又、片持ち型カーポートの積雪時にも支えとして使用できて、簡単に脱着ができるよう、最先端にＬ型の係止部を備える。あらゆる高さの脚立や梯子又は、カーポートに使用できるように、伸縮式にする。【選択図】図１
0003149667.tif 000002
【実用新案登録請求の範囲】
【請求項１】
梯子の上部のステップに、内側の横面から、クロスに本考案のつっかえ棒の先端の十手型の二股の係止部を差し込んで、係止して支え、梯子の転倒を防ぐことができ、又、脚立の上部のステップの横から裏側にかけてのパイプの横のパイプに、内側の側面から同じ先端の十手型の二股の係止部を差し込んで係止して支え脚立の転倒を防ぐことができる、梯子にも脚立にも両方兼用で転倒防止の補助棒として使用できるつっかえ棒
【請求項２】
上記の補助棒の最先端をＬ型の形状にして、片持ち型カーポートの積雪時などに柱のない側の梁にＬ型の最先端の係止部を係止して支え、転倒を防ぐことができる請求項１のつっかえ棒
【考案の詳細な説明】
【技術分野】
【０００１】  本考案は、梯子や脚立の転倒防止や、片側だけに柱がある片持ち型カーポートに雪が降ったときに、反対側を支えて転倒防止をする為のつっかえ棒に関するものである。
【背景技術】
【０００２】  従来より、梯子や脚立は広く使用されている。梯子や脚立の上部に登り、高所の作業を行うのであるが、大変危険であるにも拘らず、何等、転倒防止の為の措置を取っていないのが現状である。従来の技術として登録実用新案第３０３４２７１号や登録実用新案第３０６７７９０号、特開２００２−３０９８７８、特開２００６−２４９８９０などがある。登録実用新案第３０３４２７１号については、転倒防止補助部材付脚立ということであって、補助部材そのものが独立してるわけではないので、既存の梯子や脚立には使用できない。又、登録実用新案第３０６７７９０号については、自立させて二連梯子を使用することは危険すぎて現実的には無理と思われる。又、装置を取り付けるのに手間がかかるので、使用されにくいと思われる。特開２００２−３０９８７８については支持竿本体の係止部がフック状になっている為に使用中にはずれ易いなどの恐れがあると思われる。又、梯子には使用できない。又、特開２００６−２４９８９０については、装置が複雑すぎることや、梯子の低い部分でしか支えられないと思われるので安定性にかけると思われる。又、既存の梯子には使用できないと思われる。【０００３】  片側だけに柱がある片持ち型カーポート等に雪が積もったときにカーポートが転倒することもあったが、それを防ぐ為には、使用者が自ら適当な長さの角材やパイプを用意して、柱の無い側の梁を支えるしかなかった。従来の技術として特開２００３−２０６６４５や特開２００４−１２４３８５などがあるが、装置が複雑なことやすでに設置されている普通の片持ち型カーポートには使用が困難だと思われる。
【考案の開示】
【考案が解決しようとする課題】
【０００４】  梯子や脚立は高所の作業に使用するものであるが、常に転倒する危険性があった。【０００５】  近年、梯子や脚立の製品がアルミ製になったことにより、軽量化され、長い物、あるいは高いものが市販されるようになり、より一層危険性が増すようになった。【０００６】  既存の普通の梯子や脚立自体には、転倒を防止する装置はついていないので作業者個人が注意して使用するしかなかった。【０００７】  片持型カーポートの支えについては、個人で適当な長さの角材やパイプを用意するしかなかったが、個人でその角材やパイプの先端を加工することは難しく、平らなままだと先端が外れて倒れ、中に止めてある車等を破損することがあった。
【課題を解決するための手段】
【０００８】  本考案のつっかえ棒の先端の係止部については、梯子のステップの方が脚立のステップの横から裏側にかけてのパイプより一般的に太いので、梯子のステップを挟める広さの幅に、主軸に対して十手型に二股になるように突起物の係止部を取り付ける。【０００９】  外で使用する脚立は主にアルミ製の三脚脚立であるが、それに使用する場合はその脚立の上部の登る側のステップの太いパイプの横から裏側にかけての横の細いパイプにこのつっかえ棒の先端の十手型の二股の係止部を差し込み、係止して内側の横面から支える。【００１０】  アルミ製の梯子に使用する場合は、登るステップの太いパイプしかないので、梯子の上部に、このつっかえ棒の先端の十手型の二股の係止部を、ステップのパイプに横の内側からクロスして差し込み係止して支える。【００１１】  最先端については、カーポートなど相手の受けが角ばっていても係止し易いように、Ｌ型状にする。【００１２】  あらゆる長さの梯子や脚立に使えるように、又、収納や運搬の便が良いように差し込み式にして伸縮式にする。
【考案の効果】
【００１３】  梯子や脚立にこのつっかえ棒を使うことによって抜群の安定性が確保でき、転倒防止に大いに役立つ。【００１４】  非常にシンプルな構造であり、脱着が簡単であることから作業者が面倒くさがらず使用することが予想される。【００１５】  片持ち型カーポートについては、すでに設置してあるカーポートに使用できることや、伸縮式なので高さの調節ができること、又、構造が簡単であるので安易に使用できる。【００１６】  梯子の転倒防止、脚立の転倒防止、片持ち型のカーポートの転倒防止と、このつっかえ棒１本で三役に使用できるので非常に効率的である。
【実施例】
【００１７】  最良の形態を実施例にもとづき、図面を参照して説明する。【００１８】  図１は本考案のつっかえ棒４を脚立１に使用したときの一例を示したものである。【００１９】  図２は脚立１に本考案のつっかえ棒４を使用したときの係止部の詳細図である。脚立１の上部のステップ１１の横から裏側にかけての細いパイプの横のパイプ１２に、本考案のつっかえ棒４の先端部分に取り付けてある十手型の係止部４１を差し込んで係止して使用するものである。【００２０】  図３は本考案のつっかえ棒４を梯子２に使用したときの一例を示したものである。【００２１】  図４は、梯子２に本考案のつっかえ棒４をしようしたときの係止部の詳細図である。梯子２の上部のステップ２１に本考案のつっかえ棒４の先端部分に取り付けてある十手型の係止部４１を、裏側の横面よりクロスして差し込んで係止して使用するものである。【００２２】  図５はカーポート３に本考案のつっかえ棒４をしようしたときの一例を示したものである。【００２３】  図６はカーポート３に本考案のつっかえ棒４を使用したときの係止部の詳細図である。カーポート３の梁３２に本考案のつっかえ棒４の最先端のＬ型の係止部４２を係止して使用したものである。Ｌ型の係止部４２をカーポート３の梁３２の角ばった部分に密着するように係止して外れにくくして使用する。【００２４】  図７は本考案のつっかえ棒４の先端部分の正面図である。【００２５】  図８は本考案のつっかえ棒４の先端部分の側面図であり、つっかえ棒の係止部が脚立や梯子、カーポートに係止している状態を示したものである。【００２６】  図９は本考案のつっかえ棒の全体図である。伸縮式で、足部に滑り止めをつけた実際の実施例を示したものである。
【産業上の利用可能性】
【００２７】  長い梯子や脚立の使用中での転倒事故は、植木職人や造園業者にとっては深刻な問題である。実にシンプルな構造で簡単に使用できることから、大いに利用される可能性がある。【００２８】  植木職人や造園業者は、梯子と脚立を一緒に使用することが多いので、両方に利用できることは大変な魅力だと思われる。【００２９】  片持ち型カーポートについては、豪雪地帯ではもともと雪に対応したカーポートを設置していると思われるが、年に数回しか雪が積もらない地帯については雪に対応していないカーポートを設置していることが多いと思われるので、簡単に取り付け、取り外しができる本考案のつっかえ棒は大いに利便性があり利用される可能性があると思われる。
【図面の簡単な説明】
【００３０】
【図１】本考案のつっかえ棒を脚立に使用したときの一例を示す斜視図である。
【図２】本考案のつっかえ棒を脚立に使用したときの係止状態を示す詳細な斜視図である。
【図３】本考案のつっかえ棒を梯子に使用したときの一例を示す正面図である。
【図４】本考案のつっかえ棒を梯子に使用したときの係止部の状態を示す詳細な斜視図である。
【図５】本考案のつっかえ棒を片持ち型カーポートに使用したときの一例を示す斜視図である。
【図６】本考案のつっかえ棒を片持ち型カーポートに使用したときの係止状態を示す詳細な部分側面図である。
【図７】本考案のつっかえ棒の先端の係止部の詳細な正面図である。
【図８】本考案のつっかえ棒の先端の係止部にカーポート及び、梯子又は脚立が係止している状態を示す詳細な部分側面図である。
【図９】本考案のつっか棒の全体を示す側面図である。
【符号の説明】
【００３１】    １    脚立
１１  脚立のステップ
１２  脚立のステップの横から裏側にかけての細いパイプ
１３  脚立の支柱
２    梯子
２１  梯子のステップ
３    片持ち型カーポート
３１  片持ち型カーポートの支柱
３２  片持ち型カーポートの梁
４    つっかえ棒
４１  つっかえ棒の十手型の二股の係止部
４２  つっかえ棒の最先端のＬ型の係止部
４３  つっかえ棒の伸縮式の止め具
４４  つっかえ棒を縛って止めるときの止部
４５  つっかえ棒の爪つき足部
【図１】
0003149667.tif 000003
【図２】
0003149667.tif 000004
【図３】
0003149667.tif 000005
【図４】
0003149667.tif 000006
【図５】
0003149667.tif 000007
【図６】
0003149667.tif 000008
【図７】
0003149667.tif 000009
【図８】
0003149667.tif 000010
【図９】
0003149667.tif 000011